(57)【要約】【課題】  産業廃棄物としての処理が不要であり、焼却処分やリサイクル処理の不要な、連結固定具の連結具を提供することことを課題とする。【解決手段】  多数の釘やリベットなどの固定具を並列状に連結する連結固定具の連結具であって、この連結具が地面に接触したり土中に埋められたりすることで自然に分解される素材から成るものとした。これにより自然に土に帰すことが可能となり、現場での取り扱いが極めて便利なものとなっている。【選択図】図４
2009092231.tif 000002
【特許請求の範囲】
【請求項１】
多数の釘やリベットなどの固定具を並列状に連結する連結固定具の連結具であって、この連結具が地面に接触したり土中に埋められたりすることで自然に分解される素材から成ることを特徴とする、連結固定具の連結具。
【請求項２】
前記自然に分解される素材として生分解性プラスチックを用いたものである、請求項１に記載の連結固定具の連結具。
【請求項３】
前記連結具が、紙や不織布に生分解性プラスチックでラミネート加工して成るものである、請求項１に記載の連結固定具の連結具。
【請求項４】
前記連結具が、紙や不織布に生分解性プラスチックを含浸させて成るものである、請求項１に記載の連結固定具の連結具。
【請求項５】
前記連結具が、この連結具で連結する固定具の種類毎に色分けして着色されている、請求項１に記載の連結固定具の連結具。
【請求項６】
着色部が生分解性塗料の連結具への塗布に成るものである、請求項５に記載の連結固定具の連結具。
【発明の詳細な説明】
【技術分野】
【０００１】  この発明は、圧搾空気や可燃ガスの燃焼圧力などを利用した打ち込み工具で用いられる固定具を多数、並列状に連結する連結固定具に於ける連結具に関するものである。
【背景技術】
【０００２】  前記固定具はファスナーとも呼ばれるが、これには釘（螺子を含む）やリベット（ピンを含む）やステープルなどがある。また前記連結具はシートとも呼ばれ、例えばポリプロピレン樹脂を使用したプラスチック製のもの（実開平０６−０４０４２７号）や、クラフト紙などによる強化紙製のもの（特開２００４−０１１７７３号、特開２０００−２２０６１７号を参照のこと）などがある。連結固定具としてはこのような連結具に複数の固定具を一定間隔で装着してコイル状に捲回したものが一般的である。
【特許文献１】  実開平０６−０４０４２７号公報
【特許文献２】  特開２００４−０１１７７３号公報
【特許文献３】  特開２０００−２２０６１７号公報
【発明の開示】
【発明が解決しようとする課題】
【０００３】  連結固定具は打ち込み工具に装填されて使用されるが、連結具にはその長手方向に一定間隔で送り孔が開孔されており、これに打ち込み工具の送り爪が掛合して固定具を打ち込むごとに１ピッチずつ繰り出されることになる。そして固定具が離脱した連結具は打ち込み工具の外へ排出される。このようにして固定具が打ち尽くされると空になった連結具が建築現場に散乱するようになるため、これは産業廃棄物として適正に処理されなければならない。このような連結具は一般的にプラスチック製のものであるため、焼却処分を行うとダイオキシンなどの有害物質を発生したり、発生しないまでも高熱によって焼却炉を傷めてしまうなどの欠点がある。またリサイクルを行うためには多額の費用が掛かると言う問題もある。【０００４】  そこでこの発明は、産業廃棄物としての処理が不要であり、焼却処分やリサイクル処理の不要な、そうした連結固定具の連結具の提供を目的とする。
【課題を解決するための手段】
【０００５】  上記課題の解決に先立ち当発明者は、空になった連結具が地面に捨て置かれたとしても、あるいはこのような連結具を履き集めて土中に埋めたとしても、自然に土に帰るようであれば極めて都合が良いと言う知見を得た。【０００６】  すなわち上記課題は、多数の釘やリベットなどの固定具を並列状に連結する連結固定具の連結具であって、この連結具が地面に接触したり土中に埋められたりすることで自然に分解される素材から成ることを特徴とする、連結固定具の連結具とすることにより達成される。連結具は、通常の使用状態すなわち保管箱に入れられていたり打ち込み工具に装填されている場合には十分にその品質を保つことが出来るが、地面に触れたり穴を掘って土中に埋められたりした場合には微生物の作用などによりたちまち分解を開始して最終的に土壌中へ同化してしまう。すなわち完全に分解された場合には水と二酸化炭素に変換される。従って普通に廃棄することが出来るわけであり、焼却処分やリサイクル処理を行う必要もないのである。なおこの発明の連結具に釘やリベットなどの固定具を装着して成る連結固定具もまたこの発明の権利範囲内のものである。【０００７】  次にこのように自然に分解される素材として生分解性プラスチックを用いることが可能である。これにはポリカプロラクタム、ポリ乳酸、変性ポリビニルアルコール、カゼイン等々がある。カーボンニュートラルなものはバイオマス（生物資源）プラスチックと呼ばれることがある。市販されている生分解性プラスチックの商品名の一例として、Ｎｏｖａｍｏａｔや日本合成化学工業のマタービー（商標）、ＩＣＩのバイオポール（商標）、ワーナーランバートのノヴォン（商標）、島津製作所のラクティー（商標）、三井東圧工業のレイシア（商標）、ＵＣＣのポリカプロラクタン（商標）、日本ポリオレフィンのビオノーレ（商標）等々がある。これ等や将来新たに登場する素材をこの発明に適用して良い。【０００８】  次に前記連結具が、紙や不織布に生分解性プラスチックでラミネート加工して成るものとすることが出来る。また前記連結具が、紙や不織布に生分解性プラスチックを含浸させて成るものとすることが出来る。本発明によれば連結具は土に触れて自然に分解して土に帰るわけであるが、誤って焼却炉で焼却されないとも限らないが、そのような場合でも紙や不織布は問題がなく、ラミネート層が薄いために問題が少ない。なお紙や不織布は耐水性や弾力性に関して腰が弱いと言う性質があるが、これをラミネート層の存在によって補うことが出来る。【０００９】  次に前記連結具が、この連結具で連結する固定具の種類やサイズなどの違い毎に色分けして着色されているものとしてもよい。この種連結具に装着される固定具の種類は多様であるため、顧客はカタログを見て必要な種類やサイズのものを注文する。また実際の作業に於いては所要の固定具が装着された連結固定具を予め準備しておいてから作業に取り掛かる。しかしながら固定具を全て打ち尽くしてしまってから補充の必要性を感じて補充しようにも、さて今使っていた釘のサイズは何であったか、などと分からなくなることが良くあるのである。こうなると作業は中断を余儀なくされ円滑に行かなくなり大きなロスが発生す��。【００１０】  これに付いてこの発明では、連結具が地面に接触したり土中に埋められたりすることで自然に分解される素材から成るものであると共に、この連結具で連結する固定具の種類やサイズなどの違い毎に色分けして着色されているものとすることにより、上述したような課題を達成する。すなわち床に散乱している連結具が何色であるかを見て、これと同じ色の連結具による連結固定具を補充すれば良いのである。落ちている連結具が何色であるかを見さえすればこの固定具の種類やサイズが一目瞭然と成るのである。なおカタログや注文票に連結固定具の種別と連結具の色とを対応させて、その色を印刷しておけば良い。【００１１】  更にこのものに付いて、着色部が生分解性塗料の連結具への塗布に成るものとすることが出来る。打ち込み工具から排出された連結具は、この発明ではそのまま土中に埋めることが可能なわけであるが、使用量が僅かであるとはいえこの着色に用いられる顔料や塗料も土に帰る性質のものであることが望ましい。そこで着色部に生分解性を付与したのである。
【発明の効果】
【００１２】  連結具が地面に接触したり土中に埋められたりすることで自然に分解される素材から成ることを特徴とするこの発明の連結固定具の連結具によれば、空になった連結具が地面に捨て置かれたとしても、あるいはこのような連結具を履き集めて土中に埋めたとしても、自然に土に帰すことが出来ると言う効果を奏する。
【発明を実施するための最良の形態】
【００１３】  第１実施形態
この実施形態の連結具を図１乃至図４で表わす。図１はこの連結具１を斜視図にて示したものであるが、ベース１０の両縁部はベース１０にほぼ直角に折り曲げられると共に、等間隔に設けられた切欠部１４によってタブ１１が形成されており、ベース１０からタブ１１への断面形状は略コ字形状を呈している。また各々のタブ１１には釘を装着するための装着孔１３が、ベース１０とは反対側の縁部に設けられた切欠部１５によって釘を離脱させ得るように形成されている。また前記ベース１０には長手方向に向けて等間隔に、打ち込み工具の送り爪を掛合させるための送り孔１２が形成されている。そしてこの連結具１には、地面に接触したり土中に埋められたりすることで自然に分解される素材として生分解性プラスチックが用いられている。【００１４】  図２はこの連結具１の２つのタブ１１，１１の装着孔１３，１３に釘Ｎが装着されて成る連結釘を表わしたものであり、連結具１の部分を断面図にて示している。打ち込み工具に装着されたこの連結釘は、連結具１のベース１０の送り孔１２に掛合する送り爪によって１ピッチずつ繰り出されるようになっている。いま打ち込み工具の射出部に位置する釘Ｎはピストン等で駆動されるドライバによってそのヘッドが打たれると、前記切欠部１５により装着孔１３から離脱させられて装着孔１３は空になる。なお釘がネジである場合は対応する打ち込み工具のビットによって打ち込みが行われるが、この場合でもネジ釘は装着孔１３から離脱させられることになる。【００１５】  こうして釘Ｎが最後の１本まで打ち尽くされて空になった連結具１が、あるいは使用途中でカッターなどで切断された空の連結具１が廃棄されるが、図３で表わしたように連結具１は土に触れるまでは変質することはないが、土に触れたり土中に埋められたりすると微生物の作用などによりたちまち分解を開始して最終的に土壌中へ同化して自然へ帰るのである。図４は連結具１が石油などの化石原料から得られた生分解性プラスチックを素に製造され、土中の細菌によって分解され、水と二酸化炭素に変換されて行く推移を表わした説明図である。なお連結具１はバイオマス由来のものとすることが出来るが、この場合も上記同様に土中で分解されて自然に帰る。従って産業廃棄物としての処理が不要であり、焼却処分やリサイクル処理も不要であり、建築現場にとっては極めて都合の良いものとなっている。【００１６】  第２実施形態
この実施形態の連結具２を図５の側面図で表わす。連結具２は紙テープを生分解性のプラスチックテープでサンドイッチ状に挟んで成るものであり、紙製ベース層２０とその両面のラミネート層２１，２２とから構成されているもの２枚で複数個の釘Ｎを並列に整列させて釘Ｎの両側面より挟むようにして貼り付けて連結釘と為したものである。なお連結具２の釘Ｎと釘Ｎとの間には、打ち込み工具のヘッドによって釘Ｎの頭が打たれた時に連結具２が切断を案内することが出来るようにミシン目２３が設けられている。【００１７】  この実施形態の連結具２は使用によってミシン目２３から破断して飛散する。そこでこれを集めて土中に埋めるようにすることで容易に自然に帰すことが出来る。連結具２の紙製ベース層２０はいわゆる腐敗によって分解し、ラミネート層２１，２２も生分解性プラスチックであることから分解して土壌中に同化してしまうのである。なお紙製ベース層２０にラミネート層２１，２２を設けることで弾力性が高まると共に耐水性も向上すると言う効果を奏する。【００１８】  第３実施形態
上述した第２実施形態の連結具２は、紙製ベース層２０の両面にラミネート層２１，２２が貼り合わされてはっきりとした層を形成したものであったが、第３実施形態の連結具３は、溶融している状態の生分解性プラスチックを紙製ベース３０の両面から含浸させて含浸層３１，３１を形成したものであり、明らかな層の境界と言うものは存在していない点に特徴を有する（図６）。【００１９】  このような連結具３を用いて第２実施形態のように整列させた釘Ｎをその両側面より挟むようにして貼り付けて連結釘が形成される。この連結具３にも上述した第２実施形態の連結具２と同様の効果がある。【００２０】  第４実施形態
この実施形態の連結具４を図７の斜視図で表わす。連結具４は上述した第１実施形態の連結具１の構成に倣うものであるが、特にこの原料に着色された生分解性プラスチックを用いて成型して成るものであり、連結具４は地面に接触したり土中に埋められたりすることで自然に分解される性質を有するものであり、これと前記着色されたカラー（この連結具４で連結する固定具の種類やサイズなどの違い毎に色分けするためのカラー）から該当する品番を探すための対照表５をセットにして成るものである。【００２１】  着色ベース４０の両縁部は着色ベース４０にほぼ直角に折り曲げられて断面形状は略コ字形状を呈すると共に、等間隔に設けられた切欠部４４によって着色タブ４１が形成されている。また前記着色ベース４０には長手方向に向けて等間隔に、打ち込み工具の送り爪を掛合させるための送り孔４２が形成されている。また各々の着色タブ４１には釘を装着するための装着孔４３が、着色ベース４０とは反対側の縁部に設けられた切欠部４５によって釘を離脱させ得るように形成されている。【００２２】  このような連結具４の２つの着色タブ４１，４１の装着孔４３，４３に釘などが装着されて連結固定具とされるわけであるが、ここでは角先の釘が用いられている例を説明する。釘が打ち尽くされて空になった連結具４は廃棄されることになるが、こうして土に触れたり土中に埋められたりすると微生物の作用などによりたちまち分解を開始して最終的に土壌中へ同化して自然へ帰る。このような利点に加えてこの実施形態の連結具４では更に着色による効果が見られる。すなわち釘を全て打ち尽くしてしまってから補充の必要性を感じた時に、今使っていた釘のサイズが何であったかが分からない場合には、床に散乱している連結具４が何色であるかを見て、カタログなどの対照表５にあるカラー表示部５０のカラーに一致する行を見ればその品番を知ることができるので、これと同じ色の連結具４による連結釘を補充すれば良いのである。図７の例ではＡ３４５６７であることが一目瞭然である。【００２３】  第５実施形態
上述した第４実施形態と同様の問題は、図８で表わしたこの実施形態の連結固定具６によっても解決可能である。すなわちこの連結固定具６は上述した第１実施形態の連結具１の構成に倣うものであるが、更にベース６０とタブ６１，６１の表面に生分解性塗膜６４が設けられている点が特徴である。このように構成された連結具のタブ６１，６１の装着孔６３にリベットＬを装着して連結固定具６を得る。図中の符号６２は送り孔を指し、また符号６５は前記装着孔６３の切欠部を指し示す。【００２４】  既に述べたように、打ち込み工具から排出された連結具はそのまま土中に埋めることが可能なわけであるが、使用量が僅かであるとはいえこの着色に用いられる顔料や塗料も土に帰る性質のものである方がより好ましくある。このためこの実施形態ではカラー化に生分解性塗料を用いているのであり、生分解性塗膜６４は自然に分解して土壌中へ同化し自然へ帰るのである。なおこの連結固定具６に於いても図示しない対照表が用いられる。【００２５】  なお前記生分解性塗膜６４は連結具の全面を覆っていても良く、一部分に着色されているのであっても良い。またベタで塗装されることもあれば、文字や図形として印刷されることもある。
【産業上の利用可能性】
【００２６】  これまで図１の形態の連結具や図５の形態の連結具を説明して来たが、従来の針金に代わる生分解性プラスチックから成る細い棒状体に釘等の固定具を接着して成る形態のものも提供可能である。また上述した各種連結具の形状等の設計は自由である。
【図面の簡単な説明】
【００２７】
【図１】第１実施形態の斜視図である。
【図２】連結具１の断面図である。
【図３】廃棄されてから自然に帰るまでの状態を表わす流れ図である。
【図４】生産から自然に帰るまでの推移を表わす説明図である。
【図５】第２実施形態の側面図である。
【図６】第３実施形態の側面図である。
【図７】第４実施形態の説明図である。
【図８】第５実施形態の連結固定具６の部分断面図である。
【符号の説明】
【００２８】１    連結具
１０  ベース
１１  タブ
１２  送り孔
１３  装着孔
１４  切欠部
１５  切欠部
２    連結具
２０  紙製ベース層
２１  ラミネート層
２２  ミシン目
２３  ミシン目
３    連結具
３０  紙製ベース
３１  含浸層
４    連結具
４０  着色ベース
４１  着色タブ
４２  送り孔
４３  装着孔
４４  切欠部
４５  切欠部
５    対照表
５０  カラー表示部
６    連結固定具
６０  ベース
６１  タブ
６２  送り孔
６３  装着孔
６４  生分解性塗膜
６５  切欠部
Ｌ    リベット
【図１】
2009092231.tif 000003
【図２】
2009092231.tif 000004
【図３】
2009092231.tif 000005
【図４】
2009092231.tif 000006
【図５】
2009092231.tif 000007
【図６】
2009092231.tif 000008
【図７】
2009092231.tif 000009
【図８】
2009092231.tif 000010